(57)【特許請求の範囲】
【請求項１】
製氷機構部の下方に同製氷機構部で生成される塊状の氷を貯留する貯氷部を有する製氷機であって、前記製氷機構部が、枠体内に配設された製氷機構と、内面側に断熱材を有し前記枠体に掛止金具を介して掛止されて前記製氷機構を収容する収容室を形成する外側パネルを備えている製氷機において、前記掛止金具と前記枠体との間に断熱層が介在していることを特徴とする製氷機における外側パネルの取付構造。
【請求項２】
請求項１に記載の外側パネルの取付構造において、前記掛止金具は断熱性のキャップに挿入されていて、同キャップにおける前記枠体と接触する部位が前記断熱層を構成していることを特徴とする製氷機における外側パネルの取付構造。
【請求項３】
請求項１または２に記載の外側パネルの取付構造において、前記断熱層は合成樹脂層であることを特徴とする外側パネルの取付構造。
【請求項４】
請求項１に記載の外側パネルの取付構造において、前記掛止金具は合成樹脂を塗布されて合成樹脂皮膜にて被覆されていて、同合成樹脂皮膜における前記枠体と接触する部位が前記断熱層を構成していることを特徴とする製氷機における外側パネルの取付構造。
【発明の詳細な説明】
【０００１】
【発明の属する技術分野】
本発明は、製氷機における外側パネルの取付構造に関する。
【０００２】
【従来の技術】
製氷機の一形式として、製氷機構部の下方に同製氷機構部で生成される塊状の氷を貯留する貯氷部を有する製氷機がある。当該形式の製氷機においては、前記製氷機構部が、枠体内に配設された製氷機構と、内面側に断熱材を有し前記枠体に掛止金具を介して掛止されて前記製氷機構を収容する収容室を形成する外側パネルにて構成されている。
【０００３】
【発明が解決しようとする課題】
ところで、当該形式の製氷機においては、外側パネルを支持する枠体は貯氷部における貯氷室の冷気に曝されているため、貯氷室の冷気温度が掛止金具を通して外側パネルに伝達される。このため、外側パネルにおいては、掛止金具の取付部位およびその近傍の部位が局部的に冷却され、当該部位には外気温度との差に起因して結露が発生する。当該部位での結露は、外気温度が高くて多湿状態において顕著であって、このような場合には、結露水が滴下して製氷機の設置場所の近傍を汚染するおそれがあるとともに、結露の発生部位に錆が発生するおそれがある。従って、本発明の目的は、これらの問題に対処することにある。
【０００４】
【課題を解決するための手段】
本発明は、製氷機における外側パネルの取付構造に関するもので、製氷機構部の下方に同製氷機構部で生成される塊状の氷を貯留する貯氷部を有する形式の製氷機を適用対象とするものである。
【０００５】
しかして、本発明は上記した形式の製氷機であって、前記製氷機構部が、枠体内に配設された製氷機構と、内面側に断熱材を有し前記枠体に掛止金具を介して掛止されて前記製氷機構を収容する収容室を形成する外側パネルを備えている製氷機において、前記掛止金具と前記枠体との間に断熱層が介在していることを特徴とするものである。
【０００６】
本発明に係る外側パネルの取付構造においては、前記掛止金具を断熱性のキャップに挿入して、同キャップにおける前記枠体と接触する部位にて前記断熱層を構成する態様を採ることができる。この場合、キャップを合成樹脂で形成することが好ましい。また、前記掛止金具に合成樹脂を塗布して同掛止金具を合成樹脂皮膜にて被覆して、同合成樹脂皮膜における前記枠体と接触する部位にて前記断熱層を構成する態様を採ることもできる。
【０００７】
【発明の作用・効果】
本発明に係る製氷機における外側パネルの取付構造によれば、外側パネルを枠体に掛止して支持する掛止金具は、断熱層を介して枠体に掛止された状態にあって、枠体との直接接触が阻止されている。このため、貯氷部における貯氷室の冷気温度が枠体を介して掛止金具へ伝達されるのを断熱層が抑制する。この結果、貯氷室の冷気温度が掛止金具を通して外側パネルに伝達されることが抑制されて、外側パネルにおける掛止金具の取付部位およびその近傍の部位が局部的に冷却されるようなことがなく、当該部位に外気温度との差に起因して結露が発生するようなことがない。このため、外側パネルから結露水が滴下して製氷機の設置場所の近傍を汚染するおそれがないとともに、結露の発生部位に錆が発生するおそれもない。
【０００８】
【発明の実施の形態】
以下、本発明を図面に基づいて説明すると、図１には、本発明が適用対象とする製氷機が示されている。当該製氷機は、貯氷部１０上に製氷機構部２０が搭載されて一体化されているものである。貯氷部１０は、内部が塊状の氷を貯留させる貯氷室に構成されているもので、底壁を有する枠体の外側に左右のサイドパネル１１、リヤパネル１２を固着して、上方および前方に開口する貯氷室が構成されている。また、枠体の前側の下端縁には、フロントドア１３が支持されている。枠体の底部、左右のサイドパネル１１、リヤパネル１２、およびフロントドア１３の内面側には断熱材が貼着されていて、貯氷室の冷気温度の外部への伝達が阻止されている。
【０００９】
当該貯氷部１０においては、フロントドア１３がその下端縁部にて枠体の下端縁部に上下方向へ回動可能に支持されていて、フロントドア１３はその上端縁部に設けたハンドル１３ａを把持して開閉可能になっており、フロントドア１３を開いた状態では貯氷室内の氷を取出し可能である。
【００１０】
製氷機構部２０は、図１および図２に示すように、製氷機構２１を吊下状に支持してなる方形の枠体２２の外周を両サイドパネル２３およびリヤパネル２４で、その上側をアッパパネル２５で覆蓋して形成されている。製氷機構２１としては、クローズドセルタイプの製氷機構が採用されていて、前部はフロントドア２６にて開閉可能に閉鎖されている。フロントドア２６は、その下端縁部にて枠体２２の下端縁部に上下方向へ回動可能に支持されている。
【００１１】
しかして、当該製氷機においては、製氷機構部２０を構成している各パネル２３，２４，２５は図２に示すように、各パネル２３〜２５の裏面にスポット溶接された複数の掛止金具２７を枠体２２に掛止することにより、枠体２２に対して脱着可能に取付けられている。図２の（ｂ）には、一掛止金具２７の枠体２２に対する掛止状態を例示している。なお、各パネル２３〜２５は金属製のプレートであって、その裏面側には発泡スチロール等の断熱材２８ａ、２８ｂが貼着されている。また、枠体２２も金属製のもので、金具本体２７ａの先端側の取付部２７ｂにて各パネル２３〜２５の裏面にスポット溶接されて取付けられている。
【００１２】
当該製氷機においては、製氷機構２１にて生成される塊状の氷が貯氷部１０における貯氷室の上方開口部を通して落下して、貯氷室の底部に貯留する。貯氷室に底部に貯留されている氷は、必要によりフロントドア１３を開放して取出される。
【００１３】
ところで、当該製氷機においては、製氷機構部２０が貯氷部１０の上方に搭載されていて、枠体２２が貯氷室の冷気に曝されている。このため、枠体２２に直接接触している各掛止金具２７は貯氷室の冷気温度を各パネル２３〜２５に伝達して、各パネル２３〜２５における各掛止金具２７の溶接部位およびその近傍の部位を局部的に冷却する。このため、各パネル２３〜２５においては、各掛止金具２７の溶接部位およびその近傍の部位が外気温度より低くなり、当該部位に結露が発生する。当該部位での結露は、外気温度が高くて多湿状態において顕著であって、このような場合には、結露水が滴下して製氷機の設置場所の近傍を汚染するおそれがあるとともに、結露の発生部位に錆が発生するおそれがある。図１の２点鎖線で囲んでいる部位はパネル上の結露部位、および結露水の落下による汚染部位を示している。
【００１４】
これに対して、本発明の一例に係るパネルの取付構造では、図３および図４に示すように、掛止金具２７を合成樹脂製のキャップ２９に挿入した状態で使用している。キャップ２９は、本発明に係る断熱性のキャップに該当するもので、掛止金具２７より一回り大きい筒状を呈している。キャップ２９は可撓性を有するもので、掛止金具２７の金具本体２７ａが挿入可能に形成されている。掛止金具２７は、金具本体２７ａの先端側の取付部２７ｂにて各パネル２３〜２５の裏面にスポット溶接されている。各パネル２３〜２５を枠体２２に掛止金具２７を介して掛止した状態では、枠体２２と掛止金具２７の金具本体２７ａ間にキャップ２９の内側層（断熱層）が介在して、掛止金具２７と枠体２２との接触を遮断している。
【００１５】
このため、貯氷部１０における貯氷室の冷気温度が枠体２２を介して各掛止金具２７へ伝達されるのをキャップ２９の合成樹脂層が抑制する。この結果、貯氷室の冷気温度が各掛止金具２７を通して各パネル２３〜２５に伝達されることが抑制されて、各側パネル２３〜２５における各掛止金具２７の溶接部位およびその近傍の部位が局部的に冷却されるようなことがなく、当該部位に外気温度との差に起因して結露が発生するようなことがない。また、各パネル２３〜２５から結露水が滴下して製氷機の設置場所の近傍を汚染するおそれがないとともに、結露の発生部位に錆が発生するおそれもない。
【００１６】
なお、本発明に係る取付構造を採用する場合には、掛止金具２７をキャップ２９に挿入して金具本体２７ａをキャップ２９にて被覆する手段に換えて、掛止金具２７上に合成樹脂を塗布して掛止金具２７を合成樹脂皮膜で被覆する手段を採ることもできる。
【図面の簡単な説明】
【図１】本発明が適用対象とする製氷機の斜視図である。
【図２】同製氷機を構成する製氷機構部の一部を省略した分解斜視図（ａ）、および掛止金具の枠体への掛止状態を示す斜視図（ｂ）である。
【図３】本発明の一例に係る取付構造における掛止金具の枠体への掛止状態を示す斜視図である。
【図４】同掛止金具とキャップの斜視図（ａ）、および、同掛止金具をキャップに挿入した状態の斜視図（ｂ）である。
【符号の説明】
１０…貯氷部、１１…サイドパネル、１２…リヤパネル、１３…フロントドア、１３ａ…ハンドル、２０…製氷機構部、２１…製氷機構、２２…枠体、２３…サイドパネル、２４…リヤパネル、２５…アッパパネル、２６…フロントドア、２７…掛止金具、２７ａ…金具本体、２７ｂ…取付部、２８ａ，２８ｂ…断熱材、２９…キャップ。
【図１】
0003798600.tif 000002
【図２】
0003798600.tif 000003
【図３】
0003798600.tif 000004
【図４】
0003798600.tif 000005